(57)【特許請求の範囲】
【請求項１】
ＲＦ信号を増幅する第１のＲＦアンプと、
上記第１のＲＦアンプに接続された第１のカプラと、
上記第１のカプラの通過端子に接続された第２のＲＦアンプと、
上記第２のＲＦアンプに接続された第２のカプラと、
上記第１のカプラの結合端子に接続された第３のカプラと、
上記第３のカプラの通過端子に接続された第１の検波ダイオードと、
上記第２のカプラの結合端子に接続された第２の検波ダイオードと、
上記第１の検波ダイオードに接続された第１のログビデオアンプと、
上記第２の検波ダイオードに接続された第２のログビデオアンプと、
上記第１および上記第２のログビデオアンプにより出力されるビデオ信号を加算する加算器とを備え、
上記第１の検波ダイオードに入力されるＲＦ信号の周波数特性が平坦になるように、上記第１のカプラの結合端子に出力されるＲＦ信号の周波数特性および上記第３のカプラの通過端子に出力されるＲＦ信号の周波数特性が設定されると共に、上記第２の検波ダイオードに入力されるＲＦ信号の周波数特性が平坦となるように、上記第１のカプラの通過端子に出力されるＲＦ信号の周波数特性および上記第２のカプラの結合端子に出力されるＲＦ信号の周波数特性が設定されたことを特徴とするログアンプ。
【発明の詳細な説明】
【０００１】
【発明の属する技術分野】
この発明は、主としてＶＨＦ帯、ＵＨＦ帯、マイクロ波帯およびミリ波帯で用いられるログアンプに関するものである。
【０００２】
【従来の技術】
図４は例えば１９９０ＩＥＥＥ  ＭＴＴ−Ｓ  Ｄｉｇｅｓｔ，“２−１８  ＧＨＺ  ＬＯＧＡＲＩＴＨＭＩＣ  ＡＭＰＬＩＦＩＣＡＴＩＯＮ  ＣＯＭＰＯＮＥＮＴＲＹ”，ｐｐ１０９３−１０９６に示された従来のログアンプを示す回路図である。図において、１はＲＦ入力端子、２はＲＦ出力端子、３はビデオ出力端子、４は第１のＲＦアンプ、５は第２のＲＦアンプ、８は第１の検波ダイオード、９は第２の検波ダイオード、１０は第１のログビデオアンプ、１１は第２のログビデオアンプ、１２は加算器、１９ａは第１の等分配器、１９ｂ，１９ｃは第１の等分配器１９ａの分配端子、２０ａは第２の等分配器、２０ｂ，２０ｃは第２の等分配器２０ａの分配端子、２１は第１のアッテネータ、２２は第２のアッテネータである。
ここでは、実使用に近い構成を示すため、上記文献では記載されていない第１の等分配器１９ａの前に第１のＲＦアンプ４を追加し、また、ログビデオアンプモジュールとして、第１のログビデオアンプ１０、第２のログビデオアンプ１１、加算器１２を記載している。
【０００３】
次に動作について説明する。
今、ＲＦ入力端子１にＲＦ信号が入力されると、入力されたＲＦ信号は、第１のＲＦアンプ４によって増幅された後、第１の等分配器１９ａに入力される。第１の等分配器１９ａに入力されたＲＦ信号は、等分配され、一方のＲＦ信号は、第２のＲＦアンプ５に入力され、もう一方のＲＦ信号は、第１のアッテネータ２１を介して第１の検波ダイオード８に入力される。第２のＲＦアンプ５に入力されたＲＦ信号は、増幅された後、第２の等分配器２０ａに入力され、等分配されて一方のＲＦ信号は、第２のアッテネータ２２を介して第２の検波ダイオード９に入力される。第１および第２の検波ダイオード８，９に入力されたＲＦ信号は、それぞれビデオ信号に変換され、第１および第２のログビデオアンプ１０，１１によりログ特性を有するビデオ信号が出力され、加算器１２によって合成されたビデオ信号がビデオ出力端子３に出力される。
以上のような動作により、高い入力レベルのＲＦ信号は、第１のＲＦアンプ４により増幅された後、第１の検波ダイオード８の使用ダイナミックレンジに応じた入力レベルになるよう第１のアッテネータ２１により補正されて第１の検波ダイオード８により検波され、また、低い入力レベルのＲＦ信号は、第１および第２のＲＦアンプ４，５により増幅された後、第２の検波ダイオード９の使用ダイナミックレンジに応じた入力レベルになるよう第２のアッテネータ２２により補正されて第２の検波ダイオード９により検波される。
図５は従来のログ特性を示す説明図であり、この図５に示すように、例えば入力レベルＰ２からＰ１のＲＦ信号は、Ｖ２からＶ１のログ特性を有するビデオ信号に、また、入力レベルＰ３からＰ２のＲＦ信号は、Ｖ３からＶ２のログ特性を有するビデオ信号に変換され、加算器１２により合成されることにより、入力レベルＰ３からＰ１においてＶ３からＶ１のログ特性が得られ、広いダイナミックレンジが実現される。
【０００４】
一方、ＲＦ信号を取り出すのに第１および第２の等分配器１９ａ，２０ａを用いるため、第１および第２のＲＦアンプ４，５の周波数特性を考えない場合、第１の検波ダイオード８に入力されるＲＦ信号の周波数特性は、第１の等分配器１９ａの周波数特性、第２の検波ダイオード９に入力されるＲＦ信号は、第１および第２の等分配器１９ａ，２０ａを２回通過したときの周波数特性になる。
図６は従来の周波数特性を示す説明図であり、この図６に示すように、入力レベルにより、第１の検波ダイオード８および第２の検波ダイオード９に入力されるＲＦ信号の周波数特性の差が必ず生じる。
【０００５】
【発明が解決しようとする課題】
従来のログアンプは以上のように構成されているので、ＲＦ信号を第１および第２の検波ダイオード８，９の使用ダイナミックレンジに応じた入力レベルにするための第１および第２のアッテネータ２１，２２が必要であり、構成する部品点数が多いという課題があった。また、入力レベルにより、等分配器を１回通過したときと２回通過したときの周波数特性の差が必ず生じるという課題があった。
【０００６】
この発明は上記のような課題を解決するためになされたもので、部品点数を減らすと共に、入力レベルの差による周波数特性の差をなくしたログアンプを得ることを目的とする。
【０００７】
【課題を解決するための手段】
この発明に係るログアンプは、ＲＦ信号を増幅する第１のＲＦアンプと、第１のＲＦアンプに接続された第１のカプラと、第１のカプラの通過端子に接続された第２のＲＦアンプと、第２のＲＦアンプに接続された第２のカプラと、第１のカプラの結合端子に接続された第３のカプラと、第３のカプラの通過端子に接続された第１の検波ダイオードと、第２のカプラの結合端子に接続された第２の検波ダイオードと、第１の検波ダイオードに接続された第１のログビデオアンプと、第２の検波ダイオードに接続された第２のログビデオアンプと、第１および第２のログビデオアンプにより出力されるビデオ信号を加算する加算器とを備え、第１の検波ダイオードに入力されるＲＦ信号の周波数特性が平坦になるように、第１のカプラの結合端子に出力されるＲＦ信号の周波数特性および第３のカプラの通過端子に出力されるＲＦ信号の周波数特性が設定されると共に、第２の検波ダイオードに入力されるＲＦ信号の周波数特性が平坦となるように、第１のカプラの通過端子に出力されるＲＦ信号の周波数特性および第２のカプラの結合端子に出力されるＲＦ信号の周波数特性が設定されたものである。
【０００８】
【発明の実施の形態】
以下、この発明の実施の一形態を説明する。
実施の形態１．
図１はこの発明の実施の形態１によるログアンプを示す回路図であり、図において、１はＲＦ入力端子、２はＲＦ出力端子、３はビデオ出力端子、４は第１のＲＦアンプ、５は第２のＲＦアンプ、６ａは第１のカプラ、６ｂは第１のカプラ６ａの結合端子、６ｃは第１のカプラ６ａの通過端子、７ａは第２のカプラ、７ｂは第２のカプラ７ａの結合端子、７ｃは第２のカプラ７ａの通過端子、８は第１の検波ダイオード、９は第２の検波ダイオード、１０は第１のログビデオアンプ、１１は第２のログビデオアンプ、１２は加算器である。第１のカプラ６ａの結合端子６ｂは第１の検波ダイオード８、第１のカプラ６ａの通過端子６ｃは第２のＲＦアンプ５、第２のカプラ７ａの結合端子７ｂは第２の検波ダイオード９、第２のカプラ７ａの通過端子７ｃはＲＦ出力端子２に接続されている。なお、カプラにおいて接続されていない端子は無反射終端されている。
【０００９】
次に動作について説明する。
今、入力端子１にＲＦ信号が入力されると、入力されたＲＦ信号は、第１のＲＦアンプ４によって増幅された後、第１のカプラ６ａに入力される。第１のカプラ６ａに入力されたＲＦ信号は、第１のカプラ６ａの結合度により、第１の検波ダイオード８の使用ダイナミックレンジに応じた入力レベルになるよう補正されて、第１の検波ダイオード８により検波される。
また、第１のカプラ６ａの通過端子６ｃに出力されたＲＦ信号は、第２のＲＦアンプ５に入力されて増幅された後、第２のカプラ７ａに入力され、第２のカプラ７ａの結合度により、第２の検波ダイオード９の使用ダイナミックレンジに応じた入力レベルになるよう補正されて、第２の検波ダイオード９により検波される。
第１の検波ダイオード８および第２の検波ダイオード９に入力されたＲＦ信号は、それぞれビデオ信号に変換され，第１のログビデオアンプ１０および第２のログビデオアンプ１１によりログ特性を有するビデオ信号が出力され、加算器１２によって合成されたビデオ信号がビデオ出力端子３に出力される。
【００１０】
以上のように、この実施の形態１によれば、ＲＦ入力端子１に入力されたＲＦ信号を取り出して、第１および第２の検波ダイオード８，９に入力するための回路として、第１および第２の等分配器１９ａ，２０ａと、第１および第２のアッテネータ２１，２２とではなく、第１および第２のカプラ６ａ，７ａのみを用いているため部品点数が少なくなるという効果がある。
【００１１】
実施の形態２．
図２はこの発明の実施の形態２によるログアンプを示す回路図であり、図において、１〜１２は図１と同じであり、１３ａは第３のカプラ、１３ｂは第３のカプラの通過端子である。
【００１２】
次に動作について説明する。
今、入力端子１にＲＦ信号が入力されると、入力されたＲＦ信号は、第１のＲＦアンプ４によって増幅された後、第１のカプラ６ａに入力される。第１のカプラ６ａに入力されたＲＦ信号は、結合端子６ｂに接続された第３のカプラ１３ａに入力されて、その通過端子１３ｂに出力される。
一方、第１のカプラ６ａの通過端子６ｃに出力されたＲＦ信号は、第２のＲＦアンプ５で増幅された後、第２のカプラ７ａに入力されて、その結合端子７ｂに出力される。
図３はこの発明の実施の形態２による周波数特性を示す説明図であり、この図３に示すように、第１および第２のＲＦアンプ４，５の周波数特性を考えない場合、通過端子１３ｂに出力されるＲＦ信号の周波数特性は、第１のカプラ６ａの結合端子６ｂに出力される信号の周波数特性と、第３のカプラ１３ａの通過端子１３ｂに出力される信号の周波数特性の重ね合わせとなるため、周波数特性が打ち消され平坦な周波数特性となる。また、結合端子７ｂに出力されるＲＦ信号の周波数特性も第１のカプラ６ａの通過端子６ｃに出力される信号の周波数特性と、第２のカプラ７ａの結合端子７ｂに出力される信号の周波数特性の重ね合わせとなるため、周波数特性が打ち消され平坦な周波数特性となる。
【００１３】
以上のように、この実施の形態２によれば、第１の検波ダイオード８に入力されるＲＦ信号と、第２の検波ダイオード９に入力されるＲＦ信号との周波数特性がなくなるため、入力レベルの差による周波数特性がなくなるという利点を有する。なお、以上の構成においても、もちろん実施の形態１と同じ動作原理および効果も有する。
【００１４】
【発明の効果】
以上のように、この発明によれば、ＲＦ信号を増幅する第１のＲＦアンプと、第１のＲＦアンプに接続された第１のカプラと、第１のカプラの通過端子に接続された第２のＲＦアンプと、第２のＲＦアンプに接続された第２のカプラと、第１のカプラの結合端子に接続された第３のカプラと、第３のカプラの通過端子に接続された第１の検波ダイオードと、第２のカプラの結合端子に接続された第２の検波ダイオードと、第１の検波ダイオードに接続された第１のログビデオアンプと、第２の検波ダイオードに接続された第２のログビデオアンプと、第１および第２のログビデオアンプにより出力されるビデオ信号を加算する加算器とを備え、第１の検波ダイオードに入力されるＲＦ信号の周波数特性が平坦になるように、第１のカプラの結合端子に出力されるＲＦ信号の周波数特性および第３のカプラの通過端子に出力されるＲＦ信号の周波数特性が設定されると共に、第２の検波ダイオードに入力されるＲＦ信号の周波数特性が平坦となるように、第１のカプラの通過端子に出力されるＲＦ信号の周波数特性および第２のカプラの結合端子に出力されるＲＦ信号の周波数特性が設定されるように構成したので、入力されたＲＦ信号を取り出して第１および第２の検波ダイオードに入力するための回路として、等分配器およびアッテネータではなく、第１および第２のカプラのみを用いているため、部品点数が少なくなる効果がある。
また、第１の検波ダイオードに入力されるＲＦ信号と第２の検波ダイオードに入力されるＲＦ信号の周波数特性がなくなるため、入力レベルの差による周波数特性がなくなる効果がある。
【図面の簡単な説明】
【図１】  この発明の実施の形態１によるログアンプを示す回路図である。
【図２】  この発明の実施の形態２によるログアンプを示す回路図である。
【図３】  この発明の実施の形態２による周波数特性を示す説明図である。
【図４】  従来のログアンプを示す回路図である。
【図５】  従来のログ特性を示す説明図である。
【図６】  従来の周波数特性を示す説明図である。
【符号の説明】
１  ＲＦ入力端子、２  ＲＦ出力端子、３  ビデオ出力端子、４  第１のＲＦアンプ、５  第２のＲＦアンプ、６ａ  第１のカプラ、６ｂ，７ｂ，１３ｃ  結合端子、６ｃ，７ｃ，１３ｂ  通過端子、７ａ  第２のカプラ、８  第１の検波ダイオード、９  第２の検波ダイオード、１０  第１のログビデオアンプ、１１  第２のログビデオアンプ、１２  加算器、１３ａ  第３のカプラ。
【図１】
0004060099.tif 000002
【図２】
0004060099.tif 000003
【図３】
0004060099.tif 000004
【図４】
0004060099.tif 000005
【図５】
0004060099.tif 000006
【図６】
0004060099.tif 000007